(57)【特許請求の範囲】
【請求項１】
燃料の燃焼熱を用いて暖房する暖房装置であって、
燃料を燃焼させるバーナと、
このバーナに対する燃料供給量を調節する燃料比例弁と、
前記バーナによる前記燃料の燃焼熱によって前記熱媒を加熱する熱交換手段と、
この熱交換手段で加熱した前記熱媒を循環させて放熱させる放熱手段と、
前記熱交換手段で加熱した前記熱媒を前記放熱手段に循環させる循環路と、
前記循環路に前記熱媒を圧送させるポンプと、
前記熱交換手段の出口側に設置され、前記循環路に循環する前記熱媒の温度を検出する温度検出手段と、
前記熱媒の検出温度により前記燃料比例弁の開度を調節して前記燃料の燃焼を制御し、前記熱媒の温度が単位時間に所定値を超える温度に到達する急激な温度上昇を生じたとき、前記燃料比例弁の開度を絞って前記バーナに対する燃料供給量を最小量又は所定値以下に低下させて前記燃料を燃焼させ、前記燃料供給量が所定値以下に低下した後、前記熱媒の温度が所定値以下に低下したとき、前記燃料供給量を低下前の前記燃料供給量より低く、かつ最小供給量より高い値に制御する制御手段と、
を備えたことを特徴とする暖房装置。
【請求項２】
前記燃料供給量を低下前の前記燃料供給量より低く、かつ最小供給量より高い値は、低下前の前記燃料供給量の１／２の燃料供給量であることを特徴とする請求項１記載の暖房装置。
【発明の詳細な説明】
【０００１】
【発明の属する技術分野】
本発明は、バーナ燃焼等を熱源に用いる暖房装置に関する。
【０００２】
【従来の技術】
従来、燃料ガスの燃焼により得た熱で熱媒を加熱し、これを放熱器に循環させて放熱する暖房装置では、熱媒の温度を検出し、この検出温度によって燃料ガスの燃焼を制御するＦＢ制御が行われている。このような暖房装置において、熱媒の循環量が減少したとき、熱媒温度のオーバーシュート等の異常現象の発生を回避するため、熱交換器の出湯側にサーミスタを設け、熱媒の検出温度が所定値、例えば８８℃に到達したとき、バーナ燃焼を停止させたり、燃焼ガス量を最小にする等の方法が採られてきた。温水が沸騰温度を越えたら、燃料供給量を最小又は停止させる従来の技術として、例えば、特開平１１−１１８２５７号「温水熱交換器内蔵型ストーブ」が存在している。
【０００３】
【発明が解決しようとする課題】
ところで、熱媒の循環量が多く、容量の大きい暖房能力が要求される製品では、循環する熱媒に急激な流量変化が生じたとき、サーミスタの検出温度が所定値に達する前に熱媒に局部沸騰が生じたり、燃料ガス量の低減までの時間差で熱媒温度にオーバーシュートが生じたりするおそれがあった。
【０００４】
温水を熱媒とする暖房装置には放熱負荷として複数の放熱器が接続されており、これら放熱器には床暖房パネル等の低温（６０℃）の熱放出をするもの、ファンコンベクタ等のように高温（８０℃）の熱放出をするものが存在している。高温で制御させている場合、放熱器を一斉に停止させたとすると、循環流量が減少して熱交換器内の温水が急激に上昇し、沸騰による釜鳴り現象が生じる。温水温度が沸騰領域温度を越えたとき、燃料供給量を減少させても、ＦＢ制御の応答遅延や熱交換器の熱伝導遅延等により、温水温度にオーバーシュートが生じ、温水温度が沸騰温度を越える。このとき、釜鳴りが発生する。
【０００５】
例えば、熱交換器の出口温度が８０℃、循環流量が１５リットル、給水温度が５０℃のとき、循環流量が２リットルまで減少したとすれば、熱交換器の出口温度をＸとすると、
（８０−５０）×１５＝現在の熱量＝（Ｘ−５０）×２    ・・・（１）
となり、熱交換器の出口温度Ｘは、Ｘ＝２７５℃となり、沸騰温度を遙に越えてしまう。
【０００６】
ところで、暖房装置において、具体的な温水回路では流量センサが設置されていないのが一般的であり、最小の循環流量は放熱端末で０．５〜１．０リットル／分、熱交換器等の管路内でも３リットル／分と少なく、大流量から小流量、即ち、２４〜３０リットル／分から３リットル／分のような急激な流量変化に対応している。そして、熱交換器内で熱交換されるフィンパイプの長さは１．０〜２．０ｍ程度であり、この先端にサーミスタが設置されている。ＦＢ制御では、管内を流れる流速は１．５ｍ／秒以下のため、管内を流れるのに１〜２秒位必要である。このようなＦＢ制御において、熱交換器の出口で温度検出を行い、その温度検出に基づいて燃料供給量を制限しても、局部沸騰やオーバーシュート等を生じてしまうことが確認された。
【０００７】
このように、熱媒の局部沸騰や熱媒温度のオーバーシュートを回避する手段として暖房制御で通常用いられてきたＦＢ制御では、反応速度の関係で熱負荷の急変による急激な流量変化に対する局部沸騰やオーバーシュートを回避することができなかった。
【０００８】
そこで、本発明は、熱負荷の急変に伴う熱媒の急激な温度上昇等を回避した暖房装置を提供することを課題とする。
【０００９】
【課題を解決するための手段】
本発明の暖房装置は、バーナ（４）、熱交換手段（熱交換器６）、温度検出手段（温度センサ２８）、制御手段（主制御装置８０等）、放熱手段（放熱器５１〜５７）等を備えて、熱媒の検出温度によってバーナ燃焼を制御するとともに、単位時間当たりの熱媒の温度上昇が所定値を越えたとき、バーナの燃料供給量を所定値以下に低下させる等して、熱負荷の急変に伴う熱媒の温度上昇を回避でき、ＦＢ制御の反応速度遅延による局部沸騰やオーバーシュートの発生を未然に防止できる。
【００１０】
本発明の暖房装置は、燃料の燃焼熱を用いて暖房する暖房装置であって、燃料を燃焼させるバーナ（４）と、このバーナに対する燃料供給量を調節する燃料比例弁（１２）と、前記バーナによる前記燃料の燃焼熱によって前記熱媒を加熱する熱交換手段（熱交換器６）と、この熱交換手段で加熱した前記熱媒を循環させて放熱させる放熱手段（放熱器５１〜５７）と、前記熱交換手段で加熱した前記熱媒を前記放熱手段に循環させる循環路と、前記循環路に前記熱媒を圧送させるポンプ（循環ポンプ２４）と、前記熱交換手段の出口側に設置され、前記循環路に循環する前記熱媒の温度を検出する温度検出手段（温度センサ２８）と、前記熱媒の検出温度により前記燃料比例弁の開度を調節して前記燃料の燃焼を制御し、前記熱媒の温度が単位時間に所定値を超える温度に到達する急激な温度上昇を生じたとき、前記燃料比例弁の開度を絞って前記バーナに対する燃料供給量を最小量又は所定値以下に低下させて前記燃料を燃焼させ、前記燃料供給量が所定値以下に低下した後、前記熱媒の温度が所定値以下に低下したとき、前記燃料供給量を低下前の前記燃料供給量より低く、かつ最小供給量より高い値に制御する制御手段（主制御装置８０等）とを備えたことを特徴とする。即ち、熱媒の温度変化に応じたバーナの通常の燃焼制御とは別に、単位時間当たりの熱媒の温度上昇を監視し、この温度傾斜が所定値を越えたとき、バーナに対する燃料供給量を所定値以下に低下させており、熱負荷の急変に伴う熱媒の急激な温度上昇等を回避することができる。
【００１１】
また、本発明の暖房装置では、前記燃料供給量の低下は最小量に減少させる。即ち、熱負荷の急変に伴う急激な温度上昇を抑制するには、燃料供給量の大幅な減少が必要である。
【００１２】
本発明の暖房装置において、前記燃料供給量を低下前の前記燃料供給量より低く、かつ最小供給量より高い値は、低下前の前記燃料供給量の１／２の燃料供給量であることを特徴とする。即ち、大幅な燃料供給量の削減によって熱媒の温度が所定値以下に低下したとき、沸騰やオーバーシュートを生じない程度の制御領域として、燃料供給量より低く、かつ最小供給量より高い値として、前記燃料供給量を低下前の前記燃料供給量の１／２の燃料供給量に制御することにより、暖房を持続させる。
【００１４】
【発明の実施の形態】
以下、本発明及びその実施の形態を図面に示した実施例を参照して詳細に説明する。
【００１５】
図１及び図２は、本発明の暖房装置の実施例を示し、図１はその配管構成、図２は制御系統を示している。
【００１６】
この暖房装置は、熱媒として温水を使用し、熱源機として給湯装置が用いられている。即ち、暖房装置本体２は給湯装置で構成され、給水を加熱する手段として発熱手段であるバーナ４、熱交換手段である熱交換器６を備えている。バーナ４には、燃料管８を通して燃料ガスＧが供給され、燃料管８には燃料ガスＧの供給、供給停止を行う燃料元弁１０、燃料ガスＧの供給量を調節する燃料比例弁１２が設けられ、また、バーナ４の下部には燃焼用空気を供給するファン１４が設けられ、バーナ４の燃焼部近傍には点火手段として放電器１６が設けられている。
【００１７】
熱交換器６には温水循環路として戻り管１８及び往き管２０が接続され、加熱すべき水が戻り管１８から熱交換器６に供給される。戻り管１８側には膨張タンク２２、圧送手段として循環ポンプ２４、流量センサ２６が設けられ、また、往き管２０側には熱交換器６の出口側の熱媒温度、即ち、温水温度を検出する手段として温度センサ２８が設置されている。この実施例では、流量センサ２６を設置して熱媒流量を計測しているが、このような流量センサ２６を設置しない場合もあり得る。また、膨張タンク２２は温水の加熱による膨張圧力を大気に開放する手段であって、この膨張タンク２２には上水供給管３０を通して上水Ｗが供給される。上水供給管３０には開閉弁３２が設けられ、この開閉により膨張タンク２２への上水Ｗの補給調整が行われる。また、戻り管１８と往き管２０との間には放熱負荷側の圧力損失による温水ＨＷの循環不良を緩和する手段としてバイパス管３４が設けられている。
【００１８】
そして、暖房装置本体２の戻り管１８にはヘッダ３６、往き管２０にはヘッダ３８が設けられており、各ヘッダ３６、３８より放熱負荷に対応する複数の管路４０、４２が分岐され、各管路４０、４２間には複数の放熱負荷、放熱手段として放熱器５１、５２、５３、５４、５５、５６、５７が設置されている。例えば、放熱器５１〜５４は床暖房パネル又はファンコンベクタで構成されて第１の居住室６１に設置され、放熱器５５は床暖房パネル又はファンコンベクタで構成されて第２の居住室６２に設置され、また、放熱器５６、５７は床暖房パネル又はファンコンベクタで構成されて第３の居住室６３に設置されている。各管路４０、４２側には温水ＨＷの供給、供給遮断を切り換える温水供給弁７１、７２、７３、７４、７５、７６、７７が設置されている。
【００１９】
また、この暖房装置には、制御手段として暖房装置本体２側の給湯制御を行う主制御装置８０、この主制御装置８０と連係される外部制御装置８２、主制御装置８０を遠隔操作するメインリモートコントローラ（以下、「メインリモコン」という）８４、外部制御装置８２を通して主制御装置８０を遠隔操作する複数のサブリモートコントローラとしての室内リモートコントローラ（以下、「室内リモコン」という）８６、８８、９０が設けられている。各室内リモコン８６、８８、９０は、第１〜第３の居住室６１〜６３に設置されている。
【００２０】
これら主制御装置８０、外部制御装置８２、メインリモコン８４及び室内リモコン８６、８８、９０について説明すると、図２に示すように、主制御装置８０は制御演算素子としてＣＰＵ、記憶手段としてＲＡＭ、ＲＯＭ等を備えた制御演算部９２、駆動回路９４、検出回路９６、通信回路９８、１００を備えている。駆動回路９４の駆動出力は、循環ポンプ２４、燃料元弁１０、燃料比例弁１２、ファン１４、放電器１６等の各アクチュエータに加えられ、検出回路９６には流量センサ２６、温度センサ２８等のセンサ出力が加えられている。通信回路９８、１００は外部制御装置８２又はメインリモコン８４と連係させる通信手段であって、通信回路９８は外部制御装置８２と制御データの授受、通信回路１００はメインリモコン８４と制御データの授受を行う。
【００２１】
外部制御装置８２は、制御演算を行うＣＰＵ、記憶媒体であるＲＡＭ、ＲＯＭ等を備える制御演算部１０２、駆動回路１０４、通信回路１０６、１０８を備えている。駆動回路１０４には第１〜第３の温水供給弁系統１１０、１１２、１１４に対する出力が得られ、この実施例では温水供給弁系統１１０は温水供給弁７１〜７４、温水供給弁系統１１２は温水供給弁７５、温水供給弁系統１１４は温水供給弁７６、７７を構成している。そして、通信回路１０６は主制御装置８０の通信回路９８と有線又は無線によって連係され、また、通信回路１０８は室内リモコン８６、８８、９０と有線又は無線等で接続されている。
【００２２】
メインリモコン８４は、ＣＰＵ、ＲＡＭ、ＲＯＭ等を備えた制御演算部１１６、通信回路１１８、駆動回路１２０、表示装置１２２、入力回路１２４及びスイッチ１２６等を備えている。通信回路１１８は主制御装置８０側の通信回路１００と有線又は無線によって接続され、駆動回路１２０から得られる表示出力が液晶表示器、蛍光表示管又はＬＥＤ表示器等の表示装置１２２に加えられ、運転状態や設定温度等が表示される。また、入力回路１２４には運転スイッチ、温度設定スイッチ等のスイッチ１２６からの入力が加えられている。なお、設定温度は主制御装置８０に固定値として記憶させたものを使用してもよい。
【００２３】
そして、室内リモコン８６、８８、９０は、各室で用いられる操作手段であって、各々ＣＰＵ、ＲＡＭ、ＲＯＭ等を備えた制御演算部１２８、通信回路１３０、検出回路１３２、入力回路１３４、駆動回路１３６、温度センサ１３８、スイッチ１４０、表示器１４２等を備えている。通信回路１３０は、外部制御装置８２の通信回路１０８と有線又は無線によって接続され、検出回路１３２には温度センサ１３８で検出された室内温度が取り込まれ、入力回路１３４には放熱負荷である各放熱器５１〜５７の放熱動作を指令する運転スイッチや設定温度を選択する選択スイッチ等のスイッチ１４０からスイッチ入力が加えられている。また、駆動回路１３６に得られる表示出力は、液晶等の表示器１４２に加えられ、この表示器１４２により室温、設定温度又は運転状態等が表示される。
【００２４】
次に、動作を説明すると、この暖房装置においても、温度センサ２８の検出温度によってバーナ４に対する燃料ガスＧの供給量を制御するＦＢ制御を用いている。
【００２５】
そして、このＦＢ制御の補強手段としてＰＩＤ制御を用いている。このＰＩＤ制御では、例えば、熱交換器６の出湯温度が所定時間として０．５秒間に所定の温度上昇として０．５℃だけ上昇し、且つ熱交換器６の出湯温度の最高温度として８０℃の高温、即ち、目標温度以上を検出したとき、バーナ４に対する燃料供給量を所定値以下、例えば、最小供給量（最小号数）に制御することで、可及的速やかに熱交換器６の温度上昇を抑制する。次の所定時間（＝０．５秒）に所定の温度上昇（＝０．５℃）を検出し、熱交換器６の出湯温度として目標温度以上を検出したとき、同様の制御、即ち、バーナ４に対する燃料供給量を所定値以下として最小供給量（最小号数）を維持する。この結果、温水温度の過渡的な温度上昇を防止でき、温水温度のオーバーシュートや局部沸騰を未然に防止でき、この程度の温水温度の低下は暖房運転における床温度等には殆ど影響しない。実施例では、熱交換器６の出口側の温水温度の単位時間当たりの温度上昇を０．５℃としているが、これは、測定誤差を考えると限界の温度であり、また、所定時間として０．５秒としているのは、現状、０．１秒（＝１００ｍｓ）以下の設定ができないことによるが、所定時間、所定温度上昇は任意に設定できる。
【００２６】
そして、出湯温度が下降したとき、最小号数出力、即ち、最小供給量に降下させた直前の燃料供給量以下、例えば、その供給量の半分の供給量に相当する号数を供給した後、通常のＦＢ制御に復帰させる。
【００２７】
このような制御について、その制御動作を図３に示すフローチャートを参照して説明する。ステップＳ１では、メインリモコン８４の運転スイッチがＯＮになったか否かを判定し、メインリモコン８４がＯＮのとき、ステップＳ２に移行し、運転状態を維持し、ステップＳ２では室内リモコン８６、８８、９０の中、１つ以上がＯＮとなっているか否かを判定する。室内リモコン８６、８８、９０の何れかがＯＮの場合、ステップＳ３に移行し、暖房装置本体２の燃焼及び温水の循環を開始し、設定温度に燃焼制御を行う。ステップＳ１、ステップＳ２でＮＯの場合、運転停止状態が維持される。
【００２８】
ステップＳ４では、放熱負荷の急変を判定しており、その急変として例えば、室内リモコン８６、８８、９０の総てに運転停止命令が入力されたとき、メインリモコン８４より運転停止命令が入力されたとき、又は、室温が設定温度に到達したとき等、総ての温水供給弁７１〜７７が一斉に閉止されたか否かが判定される。放熱負荷の急変時（ステップＳ４でＹＥＳの場合）には、ステップＳ５に移行し、燃料元弁１０を閉止してバーナ４の燃焼を停止するとともに循環ポンプ２４を停止させる。また、このような温水供給弁７１〜７７が閉止されていない場合には、ステップＳ６に移行する。
【００２９】
ステップＳ６では、放熱負荷の急変として熱交換器６の出湯温度が所定時間で所定温度上昇、例えば、０．５秒で０．５℃以上上昇したか否かを判定する。０．５℃以上の温度上昇が生じたときには循環流量の減少に伴う出湯温度の上昇勾配が高いものと判断し、ステップＳ７に移行して燃料比例弁１２の開度を最小供給量まで減少させる。また、急激な温度上昇が生じていないときには、燃料供給量を設定温度に調整するためステップＳ１に移行させる。
【００３０】
このような制御において、熱交換器６の出湯温度及びバーナ４への燃料供給量の推移を図４を参照して説明すると、Ｍは熱交換器６の出湯温度の推移、Ｎは燃料供給量（号数）の推移を示している。期間ｔ1 において総ての温水供給弁７１〜７７が開かれて総ての放熱器５１〜５７より放熱される。ａ点において、例えば室内リモコン８６、９０をＯＦＦにして温水供給弁７１〜７４、７６、７７が閉止されると、循環流量は大幅に減少する。
【００３１】
この循環流量の減少に伴い、出湯温度は上昇傾向に転ずる。期間ｔ2 は温度上昇を検出するサンプリング時間であって、この実施例では０．５秒毎に出湯温度値を取り込み、このサンプリング時間経過後の検出温度が設定温度に移行するように、燃料比例弁１２の開度が調整される。即ち、ＦＢ制御が実行される。このとき、燃料供給量を例えば２０号とする。
【００３２】
ここで、期間ｔ1 が経過したとき、例えば０．５℃以上の温度上昇が生じると、循環流量が大幅に減少したと判定し、期間ｔ2 経過後に燃料供給量を最小供給量まで減少させる。この実施例では、燃料比例弁１２が操作できる最小供給量は３号であるから、この最小供給量に減少させた後、期間ｔ3 において、この燃料供給量を維持させ、熱交換器６を通過する温水の温度上昇量を抑制する。
【００３３】
その後、期間ｔ4 において、出湯温度が設定温度に移行するように燃料比例弁１２の開度を調整する。この実施例では、循環流量の減少を出湯温度の上昇勾配から監視し、上昇勾配が高ければ即座に燃料供給量を減少させ、出湯温度を温水の沸騰温度未満に抑制している。
【００３４】
次に、他の制御動作例を図５に示すフローチャートを参照して説明する。この動作例は、流量センサ２６を用いた場合であり、所定時間当たり所定流量以上減少したか否かを判断し、その結果、燃料供給量を減少させている。
【００３５】
ステップＳ１１では、メインリモコン８４の運転スイッチがＯＮになったか否かが判定される。メインリモコン８４がＯＮの場合、ステップＳ１２に移行し、室内リモコン８６、８８、９０の中、１つ以上がＯＮとなっているか否かが判定される。メインリモコン８４又は室内リモコンリモコン８６、８８、９０の何れもがＯＦＦの場合には、運転停止状態となる。ステップＳ１３では、燃焼及び温水の循環が行われる。
【００３６】
ステップＳ１４では、放熱負荷の急変を判定しており、その急変として例えば、室内リモコン８６、８８、９０の総てに運転停止命令が入力されたとき、メインリモコン８４より運転停止命令が入力されたとき、又は、室温が設定温度に到達したとき等、総ての温水供給弁７１〜７７が一斉に閉止されたか否かが判定される。負荷の急変時（ステップＳ１４でＹＥＳの場合）には、ステップＳ１５に移行し、燃料元弁１０を閉止してバーナ４の燃焼を停止するとともに循環ポンプ２４を停止させる。また、このような温水供給弁７１〜７７が閉止されていない場合には、ステップＳ１６に移行する。
【００３７】
ステップＳ１６では、循環流量が所定時間当たり所定流量以上減少したか否かを判定し、放熱負荷の急変として急激な流量減少が生じたとき、熱交換器６の出湯温度が沸騰温度を越えて上昇するものとし、ステップＳ１７に移行して燃料比例弁１２の開度を最小供給量に減少させる。また、急激な流量減少が生じていないときには燃料供給量を設定温度に調整するため、ステップＳ１１に移行する。
【００３８】
このような制御によっても同様に、放熱負荷の急変時、温水温度のオーバーシュートや沸騰を防止でき、釜鳴り等の異常現象を未然に防止できる。
【００３９】
次に、他の制御動作例を図６に示すフローチャートを参照して説明する。この動作例は、外部制御装置８２の各温水供給弁系統１１０、１１２、１１４の遮断動作を確認してバーナ４に対する燃料供給量を減少させている。
【００４０】
ステップＳ２１〜Ｓ２５の動作は、図３又は図５に示した制御動作と同様である。
【００４１】
ステップＳ２４で総ての温水供給弁７１〜７７が閉止していないと判断された場合には、ステップＳ２６で温水供給弁７１〜７７の中、１つ以上が閉止されたか否かが判定される。この場合、温水供給弁７１〜７７の一部又は全部の閉止によって循環流量が減少するので、温水供給弁７１〜７７の閉止が確認されたとき、ステップＳ２７に移行して燃料比例弁１２の開度を最小供給量まで減少させ、また、温水供給弁７１〜７７の閉止が確認されないとき、ステップＳ２１に移行する。
【００４２】
次に、他の制御動作例を図７に示すフローチャートを参照して説明する。この動作例は、放熱負荷の急変に伴う熱交換器６の出湯温度の温度勾配を監視して燃料供給量を減少させるとともに、循環流量が減少したときに最小供給量まで減少させた後、出湯温度を設定温度に可及的に収束させるため燃料供給量を所定量回復させている。
【００４３】
ステップＳ３１〜Ｓ３５の動作は、図３、図５又は図６の制御動作と同様である。
【００４４】
ステップＳ３４で温水供給弁７１〜７７の総てが閉止していないと判定された場合、ステップＳ３６では、熱交換器６の出湯温度が０．５秒で０．５℃以上上昇したか否かを判定する。０．５℃以上の温度上昇が認められたとき、循環流量の減少に伴う出湯温度の上昇勾配が大きいと判断し、ステップＳ３７に移行して燃料比例弁１２の開度を最小供給量まで減少させる。
【００４５】
また、急激な温度上昇が認められないときにはステップＳ３１に移行する。ステップＳ３８では所定時間経過したか否かが判定され、待機時間はこの例では０．５秒程度で、燃料供給量の減少に伴う出湯温度の安定化を図る。
【００４６】
ステップＳ３９では燃料供給量を減少前と減少後の中間の燃料供給量まで増加させる。この実施例では燃料供給量の減少前が２０号、減少後が３号であるから１１．５号まで燃料供給量を回復させる。燃料供給量を回復させることにより出湯温度を設定温度に可及的に回復させることができる。その後、ステップＳ３１からのルーチンを再び実行し、出湯温度が再び急激に上昇するときにはステップＳ３６〜Ｓ３９を実行して適切な燃料供給量に調整を行う。
【００４７】
このような制御によっても同様に、放熱負荷の急変時、温水温度のオーバーシュートや沸騰を防止でき、釜鳴り等の異常現象を未然に防止できる。
【００４８】
この制御動作による燃料供給制御を図８を参照して説明すると、図８において、Ｍは熱交換器６の出湯温度の推移、Ｎは燃料供給量の推移を示している。期間ｔ5 において、総ての温水供給弁７１〜７７が開かれて総ての放熱器５１〜５７より放熱が行われる。ｂ点において、例えば室内リモコン８６、８８をＯＦＦさせ、温水供給弁７１〜７５を閉止させると、循環流量が大幅に減少し、この循環流量の減少に伴い、出湯温度が上昇する。期間ｔ6 は、温度上昇を検出するサンプリング時間であって、０．５秒間隔で出湯温度値が取り込まれる。この期間ｔ6 が経過したとき、上昇温度が例えば０．５℃以上である場合、温水供給弁７１〜７７が閉じて循環流量が大幅に減少したと判断し、期間ｔ6 の経過後に燃料供給量を最小供給量まで減少させる。
【００４９】
この実施例では燃料比例弁１２が操作できる最小供給量は３号であるから、この最小供給量に減少させた後、期間ｔ7 において、この燃料供給量を維持させて熱交換器６を通過する温水の温度上昇量を抑制する。期間ｔ7 が経過すると、減少前の燃料供給量（例えば２０号）と最小供給量（例えば３号）との中間（例えば１１．５号）まで燃料供給量を回復させ、期間ｔ8 において出湯温度が設定温度になるように燃料比例弁１２の開度を調整する。Ａは、同一号数を示している。
【００５０】
このような制御によれば、ＦＢ制御の応答遅れを補完するとともに、燃料制御の連続性を維持し、急激な温度変化を伴うことなく、信頼性の高い暖房制御を実現することができる。
【００５１】
なお、実施例では、燃料ガスのバーナ燃焼を熱源として用いた場合について説明したが、本発明の暖房装置では、灯油燃焼を熱源としてもよく、また、電熱を熱源としてもよい。
【００５２】
【発明の効果】
以上説明したように、本発明によれば、熱負荷の急変に伴う熱媒の温度上昇を回避でき、ＦＢ制御の反応速度遅延による局部沸騰やオーバーシュートの発生を未然に防止でき、信頼性の高い暖房制御を実現できるとともに、熱交換手段等を損耗から防護でき、寿命特性の優れた暖房装置を提供することができる。
【図面の簡単な説明】
【図１】本発明の暖房装置の一実施例を示す配管構成図である。
【図２】暖房装置の制御装置を示すブロック図である。
【図３】温水温度の監視及び燃料供給量の制御を示すフローチャートである。
【図４】出湯温度及び燃料供給量の推移を示すグラフである。
【図５】温水流量の監視及び燃料供給量の制御を示すフローチャートである。
【図６】他の温水流量の監視及び燃料供給量の制御を示すフローチャートである。
【図７】他の温水流量の監視及び燃料供給量の制御を示すフローチャートである。
【図８】他の出湯温度及び燃料供給量の推移を示すグラフである。
【符号の説明】
４  バーナ
６  熱交換器（熱交換手段）
２６  流量センサ（流量検出手段）
２８  温度センサ（温度検出手段）
５１〜５７  放熱器（放熱手段）
【図１】
0004017817.tif 000002
【図２】
0004017817.tif 000003
【図３】
0004017817.tif 000004
【図４】
0004017817.tif 000005
【図５】
0004017817.tif 000006
【図６】
0004017817.tif 000007
【図７】
0004017817.tif 000008
【図８】
0004017817.tif 000009